(57)【要約】本発明は、構造（２）に接続される１つ以上のローラ（３）を有する折りたたみ構造（２）からなり、構造（２）は、垂直回転し、部材を水平面に動かすための垂直軸（４）による関節継手、および水平回転し、部材を垂直面に動かすための水平軸（５）によるピン継手によって相互接続される複数の直線部材（２ａ、２ｂ）によって形成される単一の連結部分を備える。使用位置において、それは矩形フレームの形態をとり、折りたたまれた位置において、小型で平らな細長いブロックを形成する。構造（２）の上部は突出しているニップル（９）が設けられるリセス（８）を備え、ニップル（９）はローラ（３）の軸の端部（３ａ）における穴（１０）内に挿入でき、下部は滑り止め防止材料から作製されるダンパ（１１）を備える。【選択図】図１
2015536743.tif 000002
【特許請求の範囲】
【請求項１】
折りたたみ構造を有するローラアセンブリであって、前記ローラアセンブリは、１つ以上のローラ（３）が接続される構造（２）から構成され、ユーザが前記ローラアセンブリの上の自転車に乗ることができるように、またはトレッドミル（１２）を加えることによって、歩くもしくは走ることができるように、前記ローラはそれぞれの端部で自由に回転し、前記構造（２）は、関節継手およびピン継手によって一緒に接続される複数の直線部材（２ａ、２ｂ）から形成される連結式の一体構造からなり、前記関節継手は垂直軸（４）周囲を回転し、前記部材を水平面に動かし、前記ピン継手は水平軸（５）周囲を回転し、前記部材を垂直面に動かし、前記構造（２）は折りたたみ可能であり、その使用位置において、前記構造（２）は矩形フレームの形態であり、その折りたたまれた位置において、前記構造（２）は細長く、平らな小型のブロックを形成する、折りたたみ構造を有するローラアセンブリ。
【請求項２】
前記構造（２）は、その上部において、突出しているニップル（９）を有するリセス（８）を有し、前記ニップル（９）は前記ローラ（３）の軸の端部（３ａ）に作製された穴（１０）に挿入されるのに適している、請求項１に記載の折りたたみ構造を有するローラアセンブリ。
【請求項３】
滑り止め材料から作製されたダンパ（１１）が前記構造（２）の下部に設けられる、請求項１または２に記載の折りたたみ構造を有するローラアセンブリ。
【請求項４】
前記構造（２）は、前記矩形フレームの短い辺に対応する２つの横部材（２ａ）と、前記矩形フレームの長い辺の半分に対応する４つの長手方向部材（２ｂ）を備え、前記横部材（２ａ）と長手方向部材（２ｂ）との間のジョイントの各々は前記矩形フレームの４つのコーナーを画定し、垂直軸（４）周囲を回転する関節継手により、前記部材間の回転角度を最大２７０°まで許容し、前記長手方向部材（２ｂ）の間の２つのジョイントは前記矩形フレームの長い辺の半分を画定し、水平軸（５）周囲を回転するピン継手により、前記部材間の回転角度を最大１８０°まで許容する、請求項１〜３のいずれか一項に記載の折りたたみ構造を有するローラアセンブリ。
【請求項５】
２７０°の回転角度で垂直軸（４）周囲を回転する前記関節継手が、垂直軸として作用するネジ（６）を備え、前記ネジ（６）は、一緒に接続される部材（２ａおよび２ｂ）のそれぞれの相互接続された端部を貫通する、請求項４に記載の折りたたみ構造を有するローラアセンブリ。
【請求項６】
前記長手方向部材（２ｂ）の間の水平軸（５）周囲を回転する前記ピン継手が、前記矩形フレームの長い辺の半分を画定し、前記長手方向部材（２ｂ）は、両方のそれぞれの端部で、対応する細長片（７）によって一緒に接続される、請求項５に記載の折りたたみ構造を有するローラアセンブリ。
【請求項７】
前記構造（２）は、矩形フレームの形態で構成されるその使用位置から、短い方の部材の中心軸に沿ってそれ自体で折りたたまれ、Ｕ字形になり、また、その折りたたまれた位置を構成する細長い平らな小型のブロックを形成するためにジグザグに折りたたまれる、請求項１〜６のいずれか一項に記載の折りたたみ構造を有するローラアセンブリ。
【請求項８】
前記ローラアセンブリは、前記ローラ（３）を固定するのに必要なリセス（８）より多くのリセス（８）を有し、異なる自転車のサイズに適合するように前記ローラ（３）の少なくとも１つの位置の変更が可能となる、請求項１〜７のいずれか一項に記載の折りたたみ構造を有するローラアセンブリ。
【請求項９】
前記構造（２）はプラスチック材料から製造され、その重量を軽くするために空洞であり、補強リブを有する、請求項１〜７のいずれか一項に記載の折りたたみ構造を有するローラアセンブリ。
【発明の詳細な説明】
【技術分野】
【０００１】
本明細書の発明の名称で表されている本発明は、以下に詳細に記載され、当該分野の現在の技術に対して顕著な改良を表す、有益および新規な特徴を意図することを目的とする、折りたたみ構造を有するローラアセンブリに関する。特に、本発明の目的は、前方に移動せずに乗る練習用の自転車にローラを組み込むことを意図するタイプのローラアセンブリからなり、それは、特に組み立てることが非常に簡単で容易な折りたたまれる構造からなる革新的な特徴を有し、最小の空間を占有する、その実用的な輸送および保管が可能となり、有益である。
【０００２】
本発明の適用分野は、スポーツ付属品の製造を専門とする工業部門の範囲であり、特に自転車のローラの球形部に焦点を当てている。
【背景技術】
【０００３】
現在の最新技術を参照すると、既存の自転車の練習用ローラが少なくとも出願人により知られているが、本明細書で主張されているものと同様の技術的、構造的および構成的特徴を有する既存の練習用ローラは知られておらず、最新技術のローラアセンブリは一般に、折りたためず、固定され、扱いにくい構造からなることに留意されるべきであり、したがって、それらは、自転車の長さと少なくとも等価でなければならないので、大きな空間を占有することに加えて、運ぶことが困難であり、多くの場合、ユーザが、十分な空間を有さない限り、このような練習要素を獲得することは困難である。
【０００４】
また、現在の固定されたローラアセンブリの別の欠点は、それらが保管および輸送のために広い空間を必要とするか、または設置および組み立てのために多くの時間を必要とし、またそれらのサイズに起因して販売される費用が高額になることである。
【発明の概要】
【発明が解決しようとする課題】
【０００５】
したがって、本発明の目的は、上述の欠点を回避しながら、市場で新しいタイプのローラアセンブリを提供することであり、ユーザがそれを有することができるようにこのタイプの改造要素の広範な普及を可能にする。
【課題を解決するための手段】
【０００６】
したがって、本発明によって提案される折りたたみ構造を有するローラアセンブリは、その実施を考慮して、その適用の分野において顕著な新規性として構成され、上述の目的は満足のいくように達成される。特徴的な詳細は本明細書に付随する特許請求の範囲において適切に記載されている。
【０００７】
具体的には、本発明は、特徴的な形態で、ローラが接続される簡単な折りたたみ構造からなる、ローラアセンブリを提案する。好ましくはプラスチックから製造されるこの構造は、使用位置において、以下に記載されるようにローラが取り付けられる、矩形を形成する、接続される複数の直線部材の間の関節継手から形成される一体の構成からなり、折りたたまれた位置において、前記矩形の短い辺よりわずかに長い長さの細長い小型のブロックを形成する。
【０００８】
構造の折りたたみおよび組み立ては、組み立てられた矩形のような形態になる、３つの簡単な動きによって達成され、構造は第１に、３つの直線部材のうちの２つの重なる部分からなるＵ字形を形成するように短い方の部材の中心軸に沿ってそれ自体で折りたたまれ、第２および第３の動きにおいて、有益には、２７０°の回転角度を許容するように構成される、それぞれの関節継手に沿ってジグザグに折りたたまれ、全ての部材は一緒に平行になり、上述の細長いブロックを形成することに留意されるべきである。必然的に、ローラアセンブリを組み立てるために、同じステップを逆に進行させなければならない。矩形が一旦形成されると、ローラは簡単にそれに導入される。
【０００９】
それらの設計のために、最大で２７０°の回転角度を許容する間接継手は、ローラアセンブリが展開される場合、さらなるダンパを必要とせずに極度の剛性を達成する。
【００１０】
前記組み立てを実施するために、ニップルを備えるリセスが想定され、１つ以上のローラを配置するために、ニップルの端部は指定される点の上に分配される。好ましくは、自転車の後輪を配置する目的のために、２つのローラが構造の後部に配置され、前輪のために１つのローラが前部に配置され、自転車のサイズに応じて前記ローラのサイズを選択する目的のために前記前部にさらなるリセスが設けられる。
【００１１】
最後に、いくつかの（ポリマー型の）ゴム製のペグが構造の下部に設けられ、その使用位置において、床に対する滑り止めグリップが構造に設けられ、使用する場合の振動に起因して起こり得る動きを回避し、運動によって引き起こされる振動を吸収する。
【００１２】
上述を考慮して、提案されるローラアセンブリは、以下の点で明らかになり、まとめられ得る：
−  折りたたみ構造およびその折りたたみ方法により、たった３回の動きでローラアセンブリの保管を可能にする。
−  一体構成であるそのアセンブリは、部品の組み立てもしくはネジ締めまたはその接続、あるいは任意の種類の工具の使用を必要とせず、構造を展開して、ローラを導入するだけである。
−  構造は緩い部分を備えず、連結され、一緒に接続される６つの部材から構成される。
−  一体構造で十分に固定されるので、あらゆる部分が分解する危険性がない。
−  プラスチック製以外は、軽量であり、その構成部材は空洞であり、さらに、固定された連結により三角形のレイアウトに配置されるロッドに基づいて適合される設計に起因して、構成部材を補強するリブを有する。
−  サイクリングに加えて、異なるローラシステムおよび例えば歩くまたは走るためにトレッドミルを構成するベルトが接続され得る、他のスポーツの実施可能性も提供できる。
−  同様に、トレーニングのときの身体の動きによって生じるエネルギーを変換することによって電気を生成するために、それに電子デバイスを接続する可能性も提供できる。
−  構造は、例えば、折りたたみ台の構成のための基部などを使用する追加部材を有してもよい。
−  折りたたまれた場合、最小の空間を占有するので、ある位置に容易に輸送でき、ユーザは危険性なしにどこでもスポーツを実施でき、使用しない場合、保管でき、他のユーザが空間を利用することを可能にする。
−  ローラ間の距離を変更でき、異なるサイズの自転車でも使用できるので、ロード、マウンテンおよび他のものなどの異なる種類の自転車で使用できる。
−  トレーニングの間、支持体に固定されず、そのため、スポーツの実施が変更されない。
−  任意選択に、速度を計測するための電子デバイスが接続されてもよく、さらに、前記デバイスは他のユーザと競争するためにオンラインに接続され、オンラインゲームの作製を可能にする。
−  そのプラスチックおよび錆びる弾性材料に起因して、錆止めされ、天候条件にも関わらず、インドアおよびアウトドアの両方でローラアセンブリの使用を可能にする。
【００１３】
上述を考慮して、この意図した目的のために現在の当該分野において存在しない構造的および構成的特徴を有する革新的な構造を表す折りたたみ構造を有するローラアセンブリが提供される。この実用性に加えて、前記理由は、請求される独占権が付与されるのに十分である。
【００１４】
この説明を補足し、本発明の特徴のより良い理解に役立つ目的のために、一連の図面がその不可欠な部分として本明細書に添付され、以下は例示で、非限定的として表される。
【図面の簡単な説明】
【００１５】
【図１】使用位置で表される本発明の折りたたみ構造の対象を有するローラアセンブリの実施形態の上面図を示す。
【図２】構造の連結されたコーナーの１つの詳細の斜視図を示し、２７０°の回転角度を有する関節継手の構成が見られ得る。
【図３】３つの折りたたみ段階における本発明のローラアセンブリの構造のうちの１つの図を示し、構造の第１の２つの折りたたみ段階の上面図である。
【図４】３つの折りたたみ段階における本発明のローラアセンブリの構造のうちの１つの図を示し、構造の第１の２つの折りたたみ段階の上面図である。
【図５】完全に折りたたまれ、使用のために接続されるローラに隣接して表される構造の正面図である。
【図６】この場合、トレッドミルを組み込んでいる、組み立てられたローラアセンブリの別の上面図を示す。
【発明を実施するための形態】
【００１６】
上述の図面を考慮し、適用される番号付けに従い、以下の説明に示され、記載される部品および要素を含む、本発明の折りたたみ構造の対象を有するローラアセンブリの好ましい実施形態が表される。
【００１７】
したがって、図１に示される上面図に基づいて、問題のフレーム（１）は、少なくとも３つのローラ（３）が接続される構造（２）から構成され、その上に自転車（図示せず）を乗せることができるように、またはトレッドミル（１２）（図６を参照のこと）を加えることによって歩くもしくは走るために使用することができるように、ローラ（３）はそれぞれの端部で自由に回転する。この構造（２）は折りたたまれ、その使用位置（図１）において、完全に折りたたまれ得る矩形のフレーム形状を有し、その折りたたまれた位置（図５）において、細長く平らな小型のブロックを形成し、必然的に空間をあまり占有しない。
【００１８】
構造（２）は、好ましくは、矩形フレームの短い辺に対応する２つの横部材（２ａ）および前記矩形フレームの長い辺のそれぞれ半分に対応する４つの長手方向部材（２ｂ）を含む、一緒に接続される複数の直線部材（２ａ、２ｂ）から形成される連結された一体構成からなる。
【００１９】
これらの部材の全ては、垂直軸（４）周囲で回転する関節継手によってそれらの間で接続され、したがって、その部材の動きは水平面に沿い、さらに水平軸（５）周囲で回転するピン継手によって接続され、したがって、その部材の動きは垂直面に沿い、横部材（２ａ）と長手方向部材（２ｂ）との間のジョイントの各々において矩形フレームの４つのコーナーを画定し、垂直軸（４）を回転する関節継手により、前記部材間で最大２７０°の回転角を許容し、長手方向部材（２ｂ）の間の２つのジョイントにおいて、矩形フレームの長い辺の半分を画定し、水平軸（５）周囲で回転するピン継手により、前記部材の間で最大１８０°の回転角を許容する。
【００２０】
より具体的には、図２に詳細に見られ得る、２７０°の回転角で垂直軸（４）周囲を回転する関節継手は、一緒に接続される部材（２ａおよび２ｂ）のそれぞれの端部に貫通する垂直軸として作用するネジ（６）を備え、接続される他の部材との交差点をわずかに超えて突出する部材の終わりに２つの先端部（２ｃ）を画定する前記部材の１つが、反転したＵ字形の空洞を有するように相互接続され、次にこの他の部材は、部材自体の端部の中心から前面および側面に突出する先端部（２ｄ）を有し、２つの先端部（２ｃ）の間の前記Ｕ字形の空洞を接続することによって適合される。
【００２１】
これらの部材に関して、矩形フレームの長い辺の半分を画定する長手方向部材（２ｂ）の間で水平軸（５）を回転するピン継手は、前記部材（２ｂ）のそれぞれの端部で一緒に接続される対応する細長片（７）によって実施される。
【００２２】
その結果として、構造（２）はたった３回の動きで折りたたまれ、また、広げられる。このように、矩形フレームがその使用位置において形成し、構造を折りたたむために、第１にそれ自体で水平軸（５）を回転するピン継手に沿って折りたたまれ、前記フレームの短い方の辺の中心軸が一致し、構造がＵ字形に構成され、図３に示すように、横部材（２ａ）および長手方向部材（２ｂ）が互いに重なる。
【００２３】
第２および第３の動きにおいて、上記のＵ字形部材のアセンブリはジグザグに折りたたまれる。すなわち、図５に示すように、反対方向において、部材を一緒に接続する垂直軸（４）の周囲を回転する関節継手に沿って、それらを一緒にまとめ、平行にし、上述の細長いブロックを形成する。ローラを組み立てるために、突出しているニップル（９）を備えるリセス（８）が構造（２）の長手方向部材（２ｂ）の上側に設けられ、ニップル（９）は、ローラ（３）の軸の端部（３ａ）に作製される穴（１０）に挿入されるのに適しており、リセスは、構造（２）の後部に少なくとも２つのローラ、および構造（２）の前部に１つのローラを配置するのに十分な数である。また、３つのローラ（３）を固定するのに必要とされるより多くのリセス（８）が設けられ、それにより異なる自転車のサイズに適合するように前記ローラ（３）の少なくとも１つの位置の変更を可能にする。
【００２４】
最後に、ローラアセンブリの使用時の振動および運動によって引き起こされる、起こり得る動きおよび／またはノイズを回避するために、ゴム製または同様の滑り止め材料から作製されるダンパ（１１）が構造（２）の下部に設けられる。
【００２５】
また、全ての図面において、好ましくはプラスチック材料から作製される構造（２）は空洞であり、補強リブを有し、構造の重量は軽く、補強されていることが見られ得る。
【００２６】
本発明の特徴およびその実施形態を十分に記載しているが、それは本発明の範囲および利点を理解するために当業者への例示の目的であり、本質的な範囲内であれば、例として示した詳細と異なる他の実施形態で実施されてもよく、それらもまた、基本的な原理が、変形、変更、または修飾されない限り、請求される保護のための本発明の範囲に含まれる。
【図１】
2015536743.tif 000003
【図２】
2015536743.tif 000004
【図３】
2015536743.tif 000005
【図４】
2015536743.tif 000006
【図５】
2015536743.tif 000007
【図６】
2015536743.tif 000008
【国際調査報告】
2015536743.tif 000009
2015536743.tif 000010
2015536743.tif 000011
2015536743.tif 000012